(57)【要約】【課題】画面分割方式と画素分割方式（Ｃｓスイング型）を組み合わせた液晶表示装置において、ライン数変動時の画面中央の表示ノイズを抑制する。【解決手段】現フレームの第１領域での走査開始後に行う、現フレームの第２領域での走査においては、第２領域の画素の走査タイミングを第１領域での実際の走査開始タイミング（ＧＳＣｘ）に応じて規定し、上記第２領域の画素と容量を形成する複数の保持容量配線（Ｃｓ５４２・・・）それぞれに供給する保持容量配線信号を、上記第２領域の画素の規定された走査タイミングよりも所定期間（例えば、９Ｈ期間）以上前にレベルシフトし、該走査タイミングまで同レベルを維持するように設定する。【選択図】図５
2009186616.tif 000002
【特許請求の範囲】
【請求項１】
表示部に設けられた第１および第２領域それぞれにデータ信号線、走査信号線、画素および保持容量配線が形成され、現フレームの第１領域での走査によって該第１領域に現フレームの一部が書き込まれ、かつ現フレームの第２領域での走査によって該第２領域に現フレームの残部が書き込まれる液晶表示装置であって、
１つの画素に設けられた複数の副画素それぞれが、同一の走査信号線に接続されるとともに異なる保持容量配線と容量を形成し、各保持容量配線には、周期的なレベルシフトによってレベルが入れ替わる保持容量配線信号が供給され、
現フレームの第１領域での走査開始後に行われる、現フレームの第２領域での走査においては、第２領域の画素の走査タイミングが第１領域での実際の走査開始タイミングに応じて規定され、上記第２領域の画素と容量を形成する複数の保持容量配線それぞれに供給される保持容量配線信号は、上記第２領域の画素の規定された走査タイミングよりも所定期間以上前にレベルシフトし、該走査タイミングまで同レベルを維持するように設定されることを特徴とする液晶表示装置。
【請求項２】
上記第２領域の画素の規定された走査タイミングは、第１領域での実際の走査開始からこの画素に応じた期間経過後となるタイミングであり、上記第２領域の画素と容量を形成する複数の保持容量配線それぞれに供給される保持容量配線信号は、上記第１領域での実際の走査開始から該画素に応じた期間経過後となるタイミングよりも一定期間以上前にレベルシフトし、該タイミングまで同レベルを維持するように設定されることを特徴とする請求項１記載の液晶表示装置。
【請求項３】
上記第２領域の画素と容量を形成する複数の保持容量配線それぞれに供給される保持容量配線信号は、第１領域での実際の走査開始を通知する信号に基づいて設定されることを特徴とする請求項１記載の液晶表示装置。
【請求項４】
上記第２領域の画素は２本の保持容量配線と容量を形成しており、該２本の保持容量配線それぞれに供給される保持容量配線信号は、上記規定された走査タイミングの後に逆方向にレベルシフトするように設定されることを特徴とする請求項１記載の液晶表示装置。
【請求項５】
第１領域の画素と容量を形成する複数の保持容量配線それぞれに供給される保持容量配線信号は、現フレームよりも前のフレームのフレーム期間から得られる第１領域の予測的な走査開始タイミングに基づいた、上記第１領域の画素の予測的な走査タイミングよりも所定期間以上前にレベルシフトし、該走査タイミングまで同レベルを維持するように設定されることを特徴とする請求項１記載の液晶表示装置。
【請求項６】
上記第１領域の予測的な走査開始タイミングが、実際の走査開始タイミングと異なった場合には、第１領域の所定画素と容量を形成する複数の保持容量配線それぞれに供給される保持容量配線信号が、第１領域での実際の走査開始タイミングに基づいて規定される該所定画素の走査タイミングよりも所定期間以上前にレベルシフトし、該走査タイミングまで同レベルを維持するように再設定されることを特徴とする請求項５記載の液晶表示装置。
【請求項７】
上記所定画素は、第１領域の走査上流側エッジ部以外に配された画素であることを特徴とする請求項６記載の液晶表示装置。
【請求項８】
第１領域での実際の走査開始タイミングと第２領域での走査開始タイミングとの差が、第１領域の走査期間に等しいことを特徴とする請求項１〜７のいずれか１項に記載の液晶表示装置。
【請求項９】
上記所定期間は保持容量配線の充電特性に基づいて設定されていることを特徴とする請求項１〜８のいずれか１項に記載の液晶表示装置。
【請求項１０】
１つの画素に設けられた複数の副画素それぞれが同一のデータ信号線に接続されていることを特徴とする請求項１〜９のいずれか１項に記載の液晶表示装置。
【請求項１１】
第１領域での実際の走査開始タイミングは、現フレームの垂直同期信号に基づいていることを特徴とする請求項１〜１０のいずれか１項に記載の液晶表示装置。
【請求項１２】
第１領域での実際の走査開始タイミングは、現フレームのデータイネーブル信号に基づいていることを特徴とする請求項１〜１０のいずれか１項に記載の液晶表示装置。
【請求項１３】
データ信号線の延伸方向を上下方向とした場合に、走査方向が上から下であれば、第１領域が表示部上側、第２領域が表示部下側に位置し、走査方向が下から上であれば、第１領域が表示部下側、第２領域は表示部上側に位置していることを特徴とする請求項１〜１２のいずれか１項に記載の液晶表示装置。
【請求項１４】
表示部に設けられた第１および第２領域それぞれにデータ信号線、走査信号線、画素および保持容量配線が形成され、１つの画素に設けられた複数の副画素それぞれが、同一の走査信号線に接続されるとともに異なる保持容量配線と容量を形成し、現フレームの第１領域での走査によって該第１領域に現フレームの一部が書き込まれ、かつ現フレームの第２領域での走査によって該第２領域に現フレームの残部が書き込まれる液晶表示装置に用いられる、液晶表示装置の駆動装置であって、
各保持容量配線に、周期的なレベルシフトによってレベルが入れ替わる保持容量配線信号を供給し、現フレームの第１領域での走査開始後に行う、現フレームの第２領域での走査においては、第２領域の画素の走査タイミングを第１領域での実際の走査開始タイミングに応じて規定し、上記第２領域の画素と容量を形成する複数の保持容量配線それぞれに供給する保持容量配線信号を、上記第２領域の画素の規定された走査タイミングよりも所定期間以上前にレベルシフトし、該走査タイミングまで同レベルを維持するように設定することを特徴とする液晶表示装置の駆動装置。
【請求項１５】
表示部に設けられた第１および第２領域それぞれにデータ信号線、走査信号線、画素および保持容量配線が形成され、１つの画素に設けられた複数の副画素それぞれが、同一の走査信号線に接続されるとともに異なる保持容量配線と容量を形成し、現フレームの第１領域での走査によって該第１領域に現フレームの一部が書き込まれ、かつ現フレームの第２領域での走査によって該第２領域に現フレームの残部が書き込まれる液晶表示装置を駆動するための、液晶表示装置の駆動方法であって、
各保持容量配線に、周期的なレベルシフトによってレベルが入れ替わる保持容量配線信号を供給し、現フレームの第１領域での走査開始後に行う、現フレームの第２領域での走査においては、第２領域の画素の走査タイミングを第１領域での実際の走査開始タイミングに応じて規定し、上記第２領域の画素と容量を形成する複数の保持容量配線それぞれに供給する保持容量配線信号を、上記第２領域の画素の規定された走査タイミングよりも所定期間以上前にレベルシフトし、該走査タイミングまで同レベルを維持するように設定することを特徴とする液晶表示装置の駆動方法。
【請求項１６】
請求項１〜１３のいずれか１項に記載の液晶表示装置と、テレビジョン放送を受信するチューナ部とを備えることを特徴とするテレビジョン受像機。
【発明の詳細な説明】
【技術分野】
【０００１】
表示部を複数の領域に分割し、領域ごとに走査信号線を走査する液晶表示装置に関する。
【背景技術】
【０００２】
液晶表示装置の高精細化に伴う各画素への書き込み時間の短縮や表示装置の大型化に伴う信号波形の鈍りに対応するため、表示部を複数の領域に分割し、各領域を別々に駆動する構成が提案されている（画面分割方式、例えば特許文献１参照）。この画面分割方式では、例えば、１画面を上下分割した（上側領域を第１領域、下側領域を第２領域とする）場合、第１領域にはフレームの前半を表示し、第２領域には該フレームの後半を表示する。一方、γ特性の視野角依存性を向上させる（例えば、画面の白浮き等を抑制する）ため、１画素に設けた複数の副画素を異なる輝度に制御し、これら副画素の面積階調によって中間調を表示する構成（画面分割方式、例えば特許文献２参照）も提案されている。この特許文献２記載の液晶表示装置では、副画素内の画素電極と保持容量を形成する保持容量配線（Ｃｓ配線）にＣｓ信号を供給することによって１画素内の複数の副画素を異なる輝度に制御している（Ｃｓスイング型）。
【特許文献１】特開平１０−２６８２６１号公報（公開日：１９９８年１０月９日）
【特許文献２】特開２００４−６２１４６号公報（２００４年２月２６日公開）
【発明の開示】
【発明が解決しようとする課題】
【０００３】
ここで、本願発明者らは、上記画面分割方式と画素分割方式（Ｃｓスイング型）とを組み合わせた液晶表示装置において、チャンネルの切り替えや早送り等によってＮ番目のフレームのライン数とそれ以前のフレームのライン数とが異なった場合に、第１および第２領域それぞれの上端部に表示ノイズが発生し、特に画面中央に位置する第２領域（下側領域）上端部の表示ノイズが表示品位の低下を招いているという問題およびその原因を見出した。これを以下に説明する。
【０００４】
まず、画面分割方式の液晶表示装置の画面構成例を図２４に示す。図２４に示されるように、第１領域には走査信号線ｇ１〜ｇ５４０と保持容量配線ｃｓ１〜ｃｓ５４１とが設けられ、第２領域には走査信号線ｇ５４１〜ｇ１０８０と保持容量配線ｃｓ５４２〜ｃｓ１０８２とが設けられる。そして、この液晶表示装置では、図２７（ｂ）に示すように、１番目のフレームａの前半ａｘを第１領域に書き込んだ後に、１番目のフレームａの後半ａｙを第２領域に書き込むが、このフレームａの後半ａｙの書き込み期間と時間的に重なるように、２番目のフレームｂの前半ｂｘを第１領域に書き込んでおき、その後、２番目のフレームｂの後半ｂｙを第２領域に書き込む。そして、このフレームｂの後半ｂｙの書き込み期間と時間的に重なるように、３番目のフレームｃの前半ｃｘを第１領域に書き込んでおき、その後、３番目のフレームｃの後半Ｃｙを第２領域に書き込む。なお、図２７（ａ）は、フレームａ〜ｄの入力タイミングを示しており、同図では、フレームａ〜ｄそれぞれの垂直同期信号をＶＳａ〜ＶＳｄとし、フレームａ〜ｄそれぞれの期間（Ｖｔａ〜Ｖｔｄ）を、等しく１１２０ライン（そのうちブランキング期間を４０ライン）としている。
【０００５】
図２７（ｂ）では、前半フレームａｘのゲートスタートパルスをＧＳａｘ、前半フレームｂｘのゲートスタートパルスをＧＳｂｘ、前半フレームｃｘのゲートスタートパルスをＧＳｃｘ、前半フレームｄｘのゲートスタートパルスをＧＳｄｘとしており、前半フレームａｘのゲートスタートパルスＧＳａｘとフレームａの垂直同期信号ＶＳａとが同期し、前半フレームｂｘのゲートスタートパルスＧＳｂｘとフレームｂの垂直同期信号ＶＳｂとが同期し、前半フレームｃｘのゲートスタートパルスＧＳｃｘとフレームｃの垂直同期信号ＶＳｃとが同期し、前半フレームｄｘのゲートスタートパルスＧＳｄｘとフレームｄの垂直同期信号ＶＳｄとが同期している。また、前半フレームａｘ〜ｄｘそれぞれの期間（Ｖｔａｘ〜Ｖｔｄｘ）を、等しく５６０ライン（そのうちブランキング期間を２０ライン）としている。
【０００６】
また、図２７（ｂ）では、後半フレームａｙのゲートスタートパルスをＧＳａｙ、後半フレームｂｙのゲートスタートパルスをＧＳｂｙ、後半フレームｃｙのゲートスタートパルスをＧＳｃｙ、後半フレームｄｙのゲートスタートパルスをＧＳｄｙとしており、後半フレームａｙのゲートスタートパルスＧＳａｙがアクティブとなるのは、前半フレームａｘのゲートスタートパルスＧＳａｘから期間ｗ（５４０ラインの走査期間に等しい期間）経過後、後半フレームｂｙのゲートスタートパルスＧＳｂｙがアクティブとなるのは、前半フレームｂｘのゲートスタートパルスＧＳｂｘから期間ｗ経過後、後半フレームｃｙのゲートスタートパルスＧＳｃｙがアクティブとなるのは、前半フレームｃｘのゲートスタートパルスＧＳｃｘから期間ｗ経過後、後半フレームｄｙのゲートスタートパルスＧＳｄｙがアクティブとなるのは、前半フレームｄｘのゲートスタートパルスＧＳｄｘから期間ｗ経過後となっている。また、後半フレームａｙ〜ｄｙそれぞれの期間（Ｖｔａｙ〜Ｖｔｄｙ）を、等しく５６０ライン（そのうちブランキング期間を２０ライン）としている。
【０００７】
図２７（ａ）（ｂ）に示されるように、画面分割方式の液晶表示装置では、例えば１０８０ラインの入力期間に５４０ラインを出力（走査）すればよいことになり、出力側の１Ｈ（一水平走査期間）を入力側の１Ｈ（一水平走査期間）の２倍とすることでき、各画素の充電率を高めることができる。
【０００８】
図２５（ａ）（ｂ）・図２６（ａ）（ｂ）は上記液晶表示装置の各領域の具体的構成を示す模式図である。第１領域では、図２５（ａ）（ｂ）に示されるように、１画素に、列方向（データ信号線方向）に並ぶ２つの副画素が設けられ、これら副画素は別々の保持容量配線と保持容量を形成する。すなわち、任意画素列のｉ番目（ｉは１〜５４０の整数）の画素を画素ｐｉとすれば、画素ｐｉは、走査信号線ｇｉとデータ信号線ｓｌとに接続される２つの副画素ｓｐａｉ・ｓｐｂｉを有し、副画素ｓｐａｉ内の画素電極が保持容量配線ｃｓｉと保持容量を形成し、副画素ｓｐｂｉ内の画素電極が保持容量配線ｃｓ（ｉ＋１）と保持容量を形成している。例えば、走査信号線ｇ１とデータ信号線ｓｌとに接続される画素ｐ１が、２つの副画素ｓｐａ１・ｓｐｂ１を有しており、副画素ｓｐａ１内の画素電極が保持容量配線ｃｓ１と保持容量を形成し、副画素ｓｐｂ１内の画素電極が保持容量配線ｃｓ２と保持容量を形成している。
【０００９】
第２領域でも、図２６（ａ）（ｂ）に示されるように、１画素に、列方向（データ信号線方向）に並ぶ２つの副画素が設けられ、これら副画素は別々の保持容量配線と保持容量を形成する。すなわち、任意画素列のｊ番目（ｊは５４１〜１０８０の整数）の画素を画素ｐｊとすれば、画素ｐｊは、走査信号線ｇｊとデータ信号線ｓＬとに接続される２つの副画素ｓｐａｊ・ｓｐｂｊを有し、副画素ｓｐａｊ内の画素電極が保持容量配線ｃｓ（ｊ＋１）と保持容量を形成し、副画素ｓｐｂｊ内の画素電極が保持容量配線ｃｓ（ｊ＋２）と保持容量を形成している。例えば、走査信号線ｇ５４１とデータ信号線ｓＬとに接続される画素ｐ５４１が、２つの副画素ｓｐａ５４１・ｓｐｂ５４１を有しており、副画素ｓｐａ５４１内の画素電極が保持容量配線ｃｓ５４２と保持容量を形成し、副画素ｓｐｂ５４１内の画素電極が保持容量配線ｃｓ５４３と保持容量を形成している。
【００１０】
図２９・３０は、入力される垂直同期信号ＶＳＹＮＣ、映像データＤＡＴ、第１および第２領域を駆動する各ゲートドライバに供給されるゲートスタートパルス（ＧＳＰ）、第１および第２領域の各走査信号線に供給されるゲートオンパルス、並びに第１および第２領域の各保持容量配線に供給されるＣｓ信号（Ｓｃｓ）を示すタイミングチャートである。図２９・３０に示されるように、保持容量配線に供給される保持容量配線信号（Ｃｓ信号）は、周期的なレベルシフトによって「Ｈ（Ｈｉｇｈ）」と「Ｌ（Ｌｏｗ）」とが交互に入れ替わるパルス信号であり、レベルシフトの周期（パルス幅）は、例えば１２Ｈ（１Ｈは出力側の一水平走査期間）となっている。
【００１１】
すなわち、第１領域では、図２５（ａ）（ｂ）および図２９・３０に示されるように、保持容量配線ｃｓｉ（ｉは１〜５４０の整数）に供給されるＣｓ信号ｓｃｓｉおよび保持容量配線ｃｓ（ｉ＋１）に供給されるＣｓ信号ｓｃｓ（ｉ＋１）はそれぞれ、走査信号線ｇｉの走査終了後に互いに逆方向（突き上げ・下げ方向）にレベルシフトする。これにより、２つの副画素（ｓｐａｉ・ｓｐｂｉ）の一方の電位をデータ信号線ｓｌからの書き込み電位に対して上に振り、他方の電位を該書き込み電位に対して下に振ることができ、副画素ｓｐａｉ・ｓｐｂｉを異なる輝度に制御することができる。例えば、保持容量配線ｃｓ１に供給されるＣｓ信号ｓｃｓ１は、走査信号線ｇ１の走査終了後に「Ｌ」から「Ｈ」にレベルシフトする（突き上げる）一方、保持容量配線ｃｓ２に供給されるＣｓ信号ｓｃｓ２は、走査信号線ｇ１の走査終了後に「Ｈ」から「Ｌ」にレベルシフトする（突き下げる）。これにより、副画素ｓｐａ１の電位をデータ信号線ｓｌからの書き込み電位に対して上に振り、副画素ｓｐｂ１の電位を該書き込み電位に対して下に振ることができ、書き込み電位がプラス極性であれば、副画素ｓｐａ１・ｓｐｂ１をそれぞれ、明副画素、暗副画素とすることができる。
【００１２】
同様に、第２領域では、図２６（ａ）（ｂ）および図２９・３０に示されるように、保持容量配線ｃｓ（ｊ＋１）（ｊは５４１〜１０８０の整数）に供給されるＣｓ信号ｓｃｓ（ｊ＋１）および保持容量配線ｃｓ（ｊ＋２）に供給されるＣｓ信号ｓｃｓ（ｊ＋２）はそれぞれ、走査信号線ｇｊの走査終了後に互いに逆方向（突き上げ・下げ方向）にレベルシフトする。これにより、２つの副画素（ｓｐａｊ・ｓｐｂｊ）の一方の電位をデータ信号線ｓＬからの書き込み電位に対して上に振り、他方の電位を該書き込み電位に対して下に振ることができ、副画素ｓｐａｊ・ｓｐｂｊを異なる輝度に制御することができる。例えば、保持容量配線ｃｓ５４２に供給されるＣｓ信号ｓｃｓ５４２は、走査信号線ｇ５４１の走査終了後に「Ｌ」から「Ｈ」にレベルシフトする（突き上げる）一方、保持容量配線ｃｓ５４３に供給されるＣｓ信号ｓｃｓ５４３は、走査信号線ｇ５４１の走査終了後に「Ｈ」から「Ｌ」にレベルシフトする（突き下げる）。これにより、副画素ｓｐａ５４１の電位をデータ信号線ｓｌからの書き込み電位に対して上に振り、副画素ｓｐｂ５４１の電位を該書き込み電位に対して下に振ることができ、書き込み電位がプラス極性であれば、副画素ｓｐａ５４１・ｓｐｂ５４１をそれぞれ、明副画素、暗副画素とすることができる。
【００１３】
ここで、保持容量配線の電位波形はある程度鈍ることを考慮して、１画素内の各副画素を想定どおりの輝度に制御するため、Ｃｓ信号を以下のように設定している。すなわち図３０に示されるように、第１領域に与えられるＣｓ信号ｓｃｓｉとＣｓ信号ｓｃｓ（ｉ＋１）は、走査信号線ｇｉ（画素ｐｉ）の走査よりも所定期間（例えば、９Ｈ）以上前にレベルシフトしてその走査まで同レベルを維持し、かつこの走査の後にレベルシフトするように設定し、また、第２領域に与えられるＣｓ信号ｓｃｓ（ｊ＋１）とＣｓ信号ｓｃｓ（ｊ＋２）は、走査信号線ｇｊ（画素ｐｊ）の走査よりも所定期間（例えば、９Ｈ）以上前にレベルシフトして該走査タイミングまで同レベルを維持し、かつこの走査の後にレベルシフトするように設定している。
【００１４】
例えば、第１領域に与えられるＣｓ信号ｓｃｓ１は、走査信号線ｇ１の走査の１０Ｈ前に「Ｈ」から「Ｌ」にレベルシフトするように、Ｃｓ信号ｓｃｓ２は、走査信号線ｇ１の走査の１０Ｈ前に「Ｌ」から「Ｈ」にレベルシフトするように設定している。また、第２領域に与えられるＣｓ信号ｓｃｓ５４２は、走査信号線ｇ５４１の走査開始１０Ｈ前に「Ｈ」から「Ｌ」にレベルシフトするように、Ｃｓ信号ｓｃｓ５４３は、走査信号線ｇ５４１の走査開始１０Ｈ前に「Ｌ」から「Ｈ」にレベルシフトするように設定している。
【００１５】
ただし、走査信号線ｇ１の走査の１０Ｈ前にＣｓ信号ｓｃｓ１やＣｓ信号ｓｃｓ２をレベルシフトさせるためには、走査信号線ｇ１の走査タイミングを予測しておく必要がある。そこで、図２７（ｃ）および図３０に示されるように、Ｖｔｂｘ＝Ｖｔａｘと仮定して、現フレームｃの前半ｃｘの予測的な走査開始タイミングＴｃｘｕを、前フレームｂの前半ｂｘのゲートスタートパルスＧＳｂｘ（フレームｂの垂直同期信号ＶＳｂと同タイミング）からＶｔａｘ経過後とする。すなわち、Ｃｓ信号ｓｃｓ１は、タイミングＴｃｘｕの１０Ｈ前に「Ｈ」から「Ｌ」にレベルシフトするように、Ｃｓ信号ｓｃｓ２は、タイミングＴｃｘｕの１０Ｈ前に「Ｌ」から「Ｈ」にレベルシフトするように設定する。なお、Ｃｓ信号ｓｃｓ１以降の奇数番のＣｓ信号は２Ｈずつ遅れて「Ｌ」から「Ｈ」にレベルシフトし、Ｃｓ信号ｓｃｓ２以降の偶数番のＣｓ信号は２Ｈずつ遅れて「Ｈ」から「Ｌ」にレベルシフトするように設定している。
【００１６】
同様に、走査信号線ｇ５４１の走査の１０Ｈ前にＣｓ信号ｓｃｓ５４２やＣｓ信号ｓｃｓ５４３をレベルシフトさせるため、走査信号線ｇ５４１の走査タイミングを予測している。すなわち、図２７（ｃ）および図３０に示されるように、Ｖｔｂｙ＝Ｖｔａｙと仮定して、現フレームｃの後半ｃｙの予測的な走査開始タイミングＴｃｙｕを、前フレームｂの後半ｂｙのゲートスタートパルスＧＳｂｙ（フレームｂの垂直同期信号ＶＳｂから期間ｗ経過後のタイミング）からＶｔａｙ経過後としている。すなわち、Ｃｓ信号ｓｃｓ５４２は、タイミングＴｃｙｕの１０Ｈ前に「Ｈ」から「Ｌ」にレベルシフトするように、Ｃｓ信号ｓｃｓ５４３は、タイミングＴｃｘｕの１０Ｈ前に「Ｌ」から「Ｈ」にレベルシフトするように設定する。なお、Ｃｓ信号Ｓｃｓ５４２以降の偶数番のＣｓ信号は２Ｈずつ遅れて「Ｈ」から「Ｌ」にレベルシフトし、Ｃｓ信号Ｓｃｓ５４３以降の奇数番のＣｓ信号は２Ｈずつ遅れて「Ｌ」から「Ｈ」にレベルシフトするように設定している。
【００１７】
しかしながら、各Ｃｓ信号を上記のように設定すると、フレーム期間の変動があった（Ｖｔｂｙ≠Ｖｔａｙとなる）場合や、入力される垂直同期信号に乱れがあった場合に、以下のような問題が発生する。
【００１８】
例えば、図２８（ａ）（ｂ）に示されるように、Ｖｔａ＝１１２０、Ｖｔｂ＝１１１０であり、Ｖｔａｙ＝５６０、Ｖｔｂｙ＝５５５である場合、図２８（ｃ）および図３１に示されるように、現フレームｃの前半ｃｘの実際の走査開始タイミングが、現フレームｃの前半ｃｘの予測的な走査開始タイミングＴｃｘｕよりも５ライン走査期間だけ早まってしまい、走査信号線ｇ１の走査の５Ｈ前にＣｓ信号ｓｃｓ１やＣｓ信号ｓｃｓ２がレベルシフトする。このため、走査信号線ｇ１走査時に保持容量配線ｃｓ１・ｃｓ２の電位が「Ｌ」になりきっておらず（ｃｓ１・ｃｓ２の充電が不足し）、画素ｐ１の各副画素（ｓｐａ１・ｓｐｂ１）を想定どおりの輝度に制御できない（表示ノイズとなる）おそれがある。
【００１９】
そしてこの場合（Ｖｔａｙ＝５６０でＶｔｂｙ＝５５５である場合）、図２８（ｃ）および図３１に示されるように、現フレームｃの後半ｃｙの実際の走査開始タイミングが、現フレームｃの後半ｃｙの予測的な走査開始タイミングＴｃｙｕよりも５ライン走査期間だけ早まってしまい、走査信号線ｇ５４１の走査の５Ｈ前にＣｓ信号ｓｃｓ５４２やＣｓ信号ｓｃｓ５４３がレベルシフトする。このため、走査信号線ｇ５４１走査時に保持容量配線ｃｓ５４２・ｃｓ５４３の電位が「Ｌ」になりきっておらず（ｃｓ５４２・ｃｓ５４３の充電が不足し）、画素ｐ５４１の各副画素（ｓｐａ５４１・ｓｐｂ５４１）を想定どおりの輝度に制御できない（表示ノイズとなる）おそれがある。図３１ではＧＳｃｙのタイミングで各Ｃｓ信号を修正しているが、そうしても、走査信号線ｇ５４１〜ｇ５４８と容量を形成する保持容量配線ｃｓ５４２〜ｃｓ５５０（９ライン分）については上記のような充電不足の問題が生じる。
【００２０】
以上のように、上記画面分割方式と画素分割方式（Ｃｓスイング型）とを組み合わせた液晶表示装置では、１フレーム期間（１フレームライン数）の変動や垂直同期信号の乱れが生じた場合に第１および第２領域それぞれの上端部（保持容量配線の充電特性によって変わるが、例えば９ライン程度）に表示ノイズが発生し、特に画面中央に位置する第２領域（下側領域）上端部の表示ノイズが表示品位の低下を招来すると考えられる。
【００２１】
本発明は上記課題に鑑みてなされたものであり、その目的は、画面分割方式と画素分割方式（Ｃｓスイング型）を組み合わせた液晶表示装置において、画面中央に表示ノイズが生じにくい構成を提案することにある。
【課題を解決するための手段】
【００２２】
本液晶表示装置は、表示部に設けられた第１および第２領域それぞれにデータ信号線、走査信号線、画素および保持容量配線が形成され、現フレームの第１領域での走査によって該第１領域に現フレームの一部が書き込まれ、かつ現フレームの第２領域での走査によって該第２領域に現フレームの残部が書き込まれる液晶表示装置であって、１つの画素に設けられた複数の副画素それぞれが、同一の走査信号線に接続されるとともに異なる保持容量配線と容量を形成し、各保持容量配線には、周期的なレベルシフトによってレベルが入れ替わる保持容量配線信号が供給され、現フレームの第１領域での走査開始後に行われる、現フレームの第２領域での走査においては、第２領域の画素の走査タイミングが第１領域での実際の走査開始タイミングに応じて規定され、上記第２領域の画素と容量を形成する複数の保持容量配線それぞれに供給される保持容量配線信号は、上記第２領域の画素の規定された走査タイミングよりも所定期間以上前にレベルシフトし、該走査タイミングまで同レベルを維持するように設定されることを特徴とする。
【００２３】
このように、第２領域の画素と容量を形成する複数の保持容量配線それぞれに供給される保持容量配線信号を、第１領域での実際の走査開始タイミングに応じて規定されたタイミングよりも所定期間以上前にレベルシフトし、該走査タイミングまで（実質的に）同レベルを維持するように設定しておけば、ライン数変動（現フレームとそれよりも前のフレームとでフレーム期間の変動）に影響されることなく、第２領域の任意の画素（特に、第２領域の走査上流側エッジ部の画素）と容量を形成する保持容量配線を該画素の走査タイミングまでに十分充電しておくことができる。これにより、ライン数変動時の、上記エッジ部の画素と容量を形成する保持容量配線の充電不足を解消することができ、画面中央の表示ノイズを抑制することができる。
【００２４】
本液晶表示装置では、上記第２領域の画素の規定された走査タイミングは、第１領域での実際の走査開始からこの画素に応じた期間経過後となるタイミングであり、上記第２領域の画素と容量を形成する複数の保持容量配線それぞれに供給される保持容量配線信号は、上記第１領域での実際の走査開始から該画素に応じた期間経過後となるタイミングよりも所定期間以上前にレベルシフトし、該タイミングまで同レベルを維持するように設定される構成とすることもできる。
【００２５】
本液晶表示装置では、上記第２領域の画素と容量を形成する複数の保持容量配線それぞれに供給される保持容量配線信号は、第１領域での実際の走査開始を通知する信号に基づいて設定される構成とすることもできる。
【００２６】
本液晶表示装置では、上記第２領域の画素は２本の保持容量配線と容量を形成しており、該２本の保持容量配線それぞれに供給される保持容量配線信号は、上記規定された走査タイミングの後に逆方向にレベルシフトするように設定される構成とすることもできる。
【００２７】
本液晶表示装置では、第１領域の画素と容量を形成する複数の保持容量配線それぞれに供給される保持容量配線信号は、現フレームよりも前のフレームのフレーム期間から得られる第１領域の予測的な走査開始タイミングに基づいた、上記第１領域の画素の予測的な走査タイミングよりも所定期間以上前にレベルシフトし、該走査タイミングまで同レベルを維持するように設定される構成とすることもできる。
【００２８】
本液晶表示装置では、上記第１領域の予測的な走査開始タイミングが、実際の走査開始タイミングと異なった場合には、上記第１領域の所定画素と容量を形成する複数の保持容量配線それぞれに供給される保持容量配線信号が、第１領域での実際の走査開始タイミングに基づいて規定される該所定画素の走査タイミングよりも所定期間以上前にレベルシフトし、該走査タイミングまで同レベルを維持するように再設定される構成とすることもできる。
【００２９】
本液晶表示装置では、上記所定画素は、第１領域の走査上流側エッジ部以外に配された画素である構成とすることもできる。
【００３０】
本液晶表示装置では、第１領域での実際の走査開始タイミングと第２領域での走査開始タイミングとの差が、第１領域の走査期間に等しい構成とすることもできる。
【００３１】
本液晶表示装置では、上記所定期間は保持容量配線の充電特性に基づいて設定されている構成とすることもできる。
【００３２】
本液晶表示装置では、１つの画素に設けられた複数の副画素それぞれが同一のデータ信号線に接続されている構成とすることもできる。
【００３３】
本液晶表示装置では、第１領域での実際の走査開始タイミングは、現フレームの垂直同期信号に基づいている構成とすることもできる。
【００３４】
本液晶表示装置では、第１領域での実際の走査開始タイミングは、現フレームのデータイネーブル信号に基づいている構成とすることもできる。
【００３５】
本液晶表示装置においては、データ信号線の延伸方向を上下方向とした場合に、走査方向が上から下であれば、第１領域が表示部上側、第２領域が表示部下側に位置し、走査方向が下から上であれば、第１領域が表示部下側、第２領域は表示部上側に位置している。
【００３６】
本液晶表示装置の駆動装置は、表示部に設けられた第１および第２領域それぞれにデータ信号線、走査信号線、画素および保持容量配線が形成され、１つの画素に設けられた複数の副画素それぞれが、同一の走査信号線に接続されるとともに異なる保持容量配線と容量を形成し、現フレームの第１領域での走査によって該第１領域に現フレームの一部が書き込まれ、かつ現フレームの第２領域での走査によって該第２領域に現フレームの残部が書き込まれる液晶表示装置に用いられる、液晶表示装置の駆動装置であって、各保持容量配線に周期的なレベルシフトによってレベルが入れ替わる保持容量配線信号を供給し、現フレームの第１領域での走査開始後に行う、現フレームの第２領域での走査においては、第２領域の画素の走査タイミングを第１領域での実際の走査開始タイミングに応じて規定し、上記第２領域の画素と容量を形成する複数の保持容量配線それぞれに供給する保持容量配線信号を、上記第２領域の画素の規定された走査タイミングよりも所定期間以上前にレベルシフトし、該走査タイミングまで同レベルを維持するように設定することを特徴とする。
【００３７】
本液晶表示装置の駆動方法は、表示部に設けられた第１および第２領域それぞれにデータ信号線、走査信号線、画素および保持容量配線が形成され、１つの画素に設けられた複数の副画素それぞれが、同一の走査信号線に接続されるとともに異なる保持容量配線と容量を形成し、現フレームの第１領域での走査によって該第１領域に現フレームの一部が書き込まれ、かつ現フレームの第２領域での走査によって該第２領域に現フレームの残部が書き込まれる液晶表示装置を駆動するための、液晶表示装置の駆動方法であって、各保持容量配線に周期的なレベルシフトによってレベルが入れ替わる保持容量配線信号を供給し、現フレームの第１領域での走査開始後に行う、現フレームの第２領域での走査においては、第２領域の画素の走査タイミングを第１領域での実際の走査開始タイミングに応じて規定し、上記第２領域の画素と容量を形成する複数の保持容量配線それぞれに供給する保持容量配線信号を、上記第２領域の画素の規定された走査タイミングよりも所定期間以上前にレベルシフトし、該走査タイミングまで同レベルを維持するように設定することを特徴とする。
【００３８】
本テレビジョン受像機は、上記液晶表示装置と、テレビジョン放送を受信するチューナ部とを備えることを特徴とする。
【発明の効果】
【００３９】
以上のように、本発明によれば、画面分割方式と画素分割方式（Ｃｓスイング型）を組み合わせた液晶表示装置において、画面中央に表示ノイズが生じにくくすることができる。
【発明を実施するための最良の形態】
【００４０】
本発明にかかる実施の形態例を、図１〜２３を用いて説明すれば、以下のとおりである。
【００４１】
図１６（ａ）は本テレビジョン受像機の構成を示すブロック図である。同図に示されるように、本テレビジョン受像機５０はチューナ４０と液晶表示装置１０とを備える。液晶表示装置１０は、第１および第２領域に分割された液晶パネル３、第１表示制御回路２０ｘ、第１ソースドライバＳＤｘ、第１ゲートドライバＧＤｘ、第１Ｃｓ（保持容量配線）コントロール回路３０ｘ、第２表示制御回路２０ｙ、第２ソースドライバＳＤｙ、第２ゲートドライバＧＤｙ、および第２Ｃｓコントロール回路３０ｙを備える。なお、第１表示制御回路２０ｘ、第１ソースドライバＳＤｘ、第１ゲートドライバＧＤｘ、および第１Ｃｓコントロール回路３０ｘは第１領域の駆動用であり、第２表示制御回路２０ｙ、第２ソースドライバＳＤｙ、第２ゲートドライバＧＤｙ、および第２Ｃｓコントロール回路３０ｙは第２領域の駆動用である。
【００４２】
第１表示制御回路２０ｘには、チューナ４０から、垂直同期信号ＶＳＹＮＣ（ｘ）、水平同期信号ＨＳＹＮＣ（ｘ）、データイネーブル信号ＤＥ（ｘ）、映像データＤＡＴ（ｘ）、および１ｄｏｔ周期のクロック信号ＣＬＫ（ｘ）が入力され、第２表示制御回路２０ｙには、チューナ４０から、垂直同期信号ＶＳＹＮＣ（ｙ）、水平同期信号ＨＳＹＮＣ（ｙ）、データイネーブル信号ＤＥ（ｙ）、映像データＤＡＴ（ｙ）、および１ｄｏｔ周期のクロック信号ＣＬＫ（ｙ）が入力される。第１表示制御回路２０ｘは、第１ゲートドライバＧＤｘに第１領域用のゲートスタートパルスＧＳＰ（ｘ）を出力し、第１Ｃｓコントロール回路３０ｘに第１領域用のＣｓ制御信号を出力する。また、第２表示制御回路２０ｙは、第２ゲートドライバＧＤｙに第２領域用のゲートスタートパルスＧＳＰ（ｙ）を出力し、第２Ｃｓコントロール回路３０ｙに第２領域用のＣｓ制御信号を出力する。さらに、第１Ｃｓコントロール回路３０ｘは、第１領域の各保持容量配線にＣｓ信号を供給し、第２Ｃｓコントロール回路３０ｙは、第２領域の各保持容量配線にＣｓ信号を供給する。
【００４３】
本液晶表示装置１０では、図１６（ａ）および図２（ｂ）に示すように、１番目のフレームＡの前半Ａｘを第１領域に書き込んだ後に、１番目のフレームＡの後半Ａｙを第２領域に書き込むが、このフレームＡの後半Ａｙの書き込み期間と時間的に重なるように、２番目のフレームＢの前半Ｂｘを第１領域に書き込んでおき、その後、２番目のフレームＢの後半Ｂｙを第２領域に書き込む。そして、このフレームＢの後半Ｂｙの書き込み期間と時間的に重なるように、３番目のフレームＣの前半Ｃｘを第１領域に書き込んでおき、その後、３番目のフレームＣの後半Ｃｙを第２領域に書き込む。なお、図２（ａ）は、フレームＡ〜Ｄの入力タイミングを示しており、同図では、フレームＡ〜Ｄそれぞれの垂直同期信号をＶＳＡ〜ＶＳＤとし、フレームＡ〜Ｄそれぞれの期間（ＶｔＡ〜ＶｔＤ）を、等しく１１２０ライン（そのうちブランキング期間を４０ライン）としている。
【００４４】
図２（ｂ）では、前半フレームＡｘのゲートスタートパルスをＧＳＡｘ、前半フレームｂｘのゲートスタートパルスをＧＳＢｘ、前半フレームＣｘのゲートスタートパルスをＧＳＣｘ、前半フレームＤｘのゲートスタートパルスをＧＳＤｘとしており、前半フレームＡｘのゲートスタートパルスＧＳＡｘとフレームＡの垂直同期信号ＶＳＡとが同期し、前半フレームＢｘのゲートスタートパルスＧＳＢｘとフレームＢの垂直同期信号ＶＳＢとが同期し、前半フレームＣｘのゲートスタートパルスＧＳＣｘとフレームＣの垂直同期信号ＶＳＣとが同期し、前半フレームＤｘのゲートスタートパルスＧＳＤｘとフレームＤの垂直同期信号ＶＳＤとが同期している。また、前半フレームＡｘ〜Ｄｘそれぞれの期間（ＶｔＡｘ〜ＶｔＤｘ）を、等しく５６０ライン（そのうちブランキング期間を２０ライン）としている。
【００４５】
また、図２（ｂ）では、後半フレームＡｙのゲートスタートパルスをＧＳＡｙ、後半フレームＢｙのゲートスタートパルスをＧＳＢｙ、後半フレームＣｙのゲートスタートパルスをＧＳＣｙ、後半フレームＤｙのゲートスタートパルスをＧＳＤｙとしており、後半フレームＡｙのゲートスタートパルスＧＳＡｙがアクティブとなるのは、前半フレームＡｘのゲートスタートパルスＧＳＡｘからＷ（５４０ライン期間）経過後、後半フレームＢｙのゲートスタートパルスＧＳＢｙがアクティブとなるのは、前半フレームＢｘのゲートスタートパルスＧＳＢｘから期間Ｗ経過後、後半フレームＣｙのゲートスタートパルスＧＳＣｙがアクティブとなるのは、前半フレームＣｘのゲートスタートパルスＧＳＣｘから期間Ｗ経過後、後半フレームＤｙのゲートスタートパルスＧＳＤｙがアクティブとなるのは、前半フレームＤｘのゲートスタートパルスＧＳＤｘから期間Ｗ経過後となっている。また、後半フレームＡｙ〜Ｄｙそれぞれの期間（ＶｔＡｙ〜ＶｔＤｙ）を、等しく５６０ライン（そのうちブランキング期間を２０ライン）としている。
【００４６】
図２（ａ）（ｂ）に示されるように、画面分割方式の本液晶表示装置１０では、例えば１０８０ラインの入力期間に５４０ラインを出力（走査）すればよいことになり、出力側の１Ｈ（一水平走査期間）を入力側の１Ｈ（一水平走査期間）の２倍とすることでき、各画素の充電率を高めることができる。
【００４７】
図１３〜１５は本液晶パネル３の各領域の具体的構成を示す模式図である。図１３に示されるように、第１領域には走査信号線Ｇ１〜Ｇ５４０と保持容量配線Ｃｓ１〜Ｃｓ５４１とが設けられ、第２領域には走査信号線Ｇ５４１〜Ｇ１０８０と保持容量配線Ｃｓ５４２〜Ｃｓ１０８２とが設けられる。
【００４８】
第１領域では、図１４（ａ）（ｂ）に示されるように、１画素に、列方向（データ信号線方向）に並ぶ２つの副画素が設けられ、これら副画素は別々の保持容量配線と保持容量を形成する。すなわち、任意画素列のｉ番目（ｉは１〜５４０の整数）の画素を画素Ｐｉとすれば、画素Ｐｉは、走査信号線Ｇｉとデータ信号線Ｓｌとに接続される２つの副画素Ｓｐａｉ・Ｓｐｂｉを有し、副画素Ｓｐａｉ内の画素電極が保持容量配線Ｃｓｉと保持容量を形成し、副画素Ｓｐｂｉ内の画素電極が保持容量配線Ｃｓ（ｉ＋１）と保持容量を形成している。なお、保持容量配線Ｃｓ（ｉ＋１）は、画素Ｐ（ｉ＋１）が有する副画素Ｓｐａ（ｉ＋１）内の画素電極とも保持容量を形成しており、各保持容量配線は隣り合う２つの画素行（行方向は走査信号線の延伸方向）で共有されている。例えば、走査信号線Ｇ１とデータ信号線Ｓｌとに接続される画素Ｐ１が、２つの副画素Ｓｐａ１・Ｓｐｂ１を有しており、副画素Ｓｐａ１内の画素電極が保持容量配線Ｃｓ１と保持容量を形成し、副画素Ｓｐｂ１内の画素電極が保持容量配線Ｃｓ２と保持容量を形成している。なお、保持容量配線Ｃｓ２は、画素Ｐ２が有する副画素Ｓｐａ２内の画素電極とも保持容量を形成している。
【００４９】
第２領域でも、図１５（ａ）（ｂ）に示されるように、１画素に、列方向（データ信号線方向）に並ぶ２つの副画素が設けられ、これら副画素は別々の保持容量配線と保持容量を形成する。すなわち、任意画素列のｊ番目（ｊは５４１〜１０８０の整数）の画素を画素Ｐｊとすれば、画素Ｐｊは、走査信号線Ｇｊとデータ信号線ＳＬとに接続される２つの副画素Ｓｐａｊ・Ｓｐｂｊを有し、副画素Ｓｐａｊ内の画素電極が保持容量配線Ｃｓ（ｊ＋１）と保持容量を形成し、副画素Ｓｐｂｊ内の画素電極が保持容量配線Ｃｓ（ｊ＋２）と保持容量を形成している。なお、保持容量配線Ｃｓ（ｊ＋２）は、画素Ｐ（ｊ＋１）が有する副画素Ｓｐａ（ｊ＋１）内の画素電極とも保持容量を形成しており、各保持容量配線は隣り合う２つの画素行で共有されている。例えば、走査信号線Ｇ５４１とデータ信号線ＳＬとに接続される画素Ｐ５４１が、２つの副画素Ｓｐａ５４１・Ｓｐｂ５４１を有しており、副画素Ｓｐａ５４１内の画素電極が保持容量配線Ｃｓ５４２と保持容量を形成し、副画素Ｓｐｂ５４１内の画素電極が保持容量配線Ｃｓ５４３と保持容量を形成している。なお、保持容量配線Ｃｓ５４３は、画素Ｐ５４２が有する副画素Ｓｐａ５４２内の画素電極とも保持容量を形成している。
【００５０】
図３・４は、入力される垂直同期信号ＶＳＹＮＣ、映像データＤＡＴ、第１および第２ゲートドライバＧＤｘ・ＧＤｙに供給されるゲートスタートパルス（ＧＳＰ）、第１および第２領域の各走査信号線に供給されるゲートオンパルス、並びに第１および第２領域の各保持容量配線に供給されるＣｓ信号（Ｓｃｓ）を示すタイミングチャートである。
【００５１】
図３・４に示されるように、各保持容量配線に供給されるＣｓ信号（保持容量配線信号）は、周期的なレベルシフトによって「Ｈ（Ｈｉｇｈ）」と「Ｌ（Ｌｏｗ）」とが交互に入れ替わるパルス信号であり、レベルシフトの基本周期（パルス幅）は、１２Ｈ（１Ｈは出力側の一水平走査期間）となっている。
【００５２】
第１領域では、図１４（ａ）（ｂ）および図３・４に示されるように、保持容量配線Ｃｓｉ〔ｉは１〜５４０の整数〕に供給されるＣｓ信号Ｓｃｓｉおよび保持容量配線Ｃｓ（ｉ＋１）に供給されるＣｓ信号Ｓｃｓ（ｉ＋１）はそれぞれ、走査信号線Ｇｉの走査終了後に互いに逆方向（突き上げ・下げ方向）にレベルシフトする。これにより、２つの副画素（Ｓｐａｉ・Ｓｐｂｉ）の一方の電位をデータ信号線Ｓｌからの書き込み電位に対して上に振り、他方の電位を該書き込み電位に対して下に振ることができ、副画素Ｓｐａｉ・Ｓｐｂｉを異なる輝度に制御することができる。例えば、保持容量配線Ｃｓ１に供給されるＣｓ信号Ｓｃｓ１は、走査信号線Ｇ１の走査終了後に「Ｌ」から「Ｈ」にレベルシフトする（突き上げる）一方、保持容量配線Ｃｓ２に供給されるＣｓ信号Ｓｃｓ２は、走査信号線Ｇ１の走査終了後に「Ｈ」から「Ｌ」にレベルシフトする（突き下げる）。これにより、副画素Ｓｐａ１の電位をデータ信号線Ｓｌからの書き込み電位に対して上に振り、副画素Ｓｐｂ１の電位を該書き込み電位に対して下に振ることができ、書き込み電位がプラス極性であれば、副画素Ｓｐａ１・Ｓｐｂ１をそれぞれ、明副画素、暗副画素とすることができる。
【００５３】
同様に、第２領域では、図１５（ａ）（ｂ）および図３・４に示されるように、保持容量配線Ｃｓ（ｊ＋１）〔ｊは５４１〜１０８０の整数〕に供給されるＣｓ信号Ｓｃｓ（ｊ＋１）および保持容量配線Ｃｓ（ｊ＋２）に供給されるＣｓ信号Ｓｃｓ（ｊ＋２）はそれぞれ、走査信号線Ｇｊの走査終了後に互いに逆方向（突き上げ・下げ方向）にレベルシフトする。これにより、２つの副画素（Ｓｐａｊ・Ｓｐｂｊ）の一方の電位をデータ信号線ＳＬからの書き込み電位に対して上に振り、他方の電位を該書き込み電位に対して下に振ることができ、副画素Ｓｐａｊ・Ｓｐｂｊを異なる輝度に制御することができる。例えば、保持容量配線Ｃｓ５４２に供給されるＣｓ信号Ｓｃｓ５４２は、走査信号線Ｇ５４１の走査終了後に「Ｌ」から「Ｈ」にレベルシフトする（突き上げる）一方、保持容量配線Ｃｓ５４３に供給されるＣｓ信号Ｓｃｓ５４３は、走査信号線Ｇ５４１の走査終了後に「Ｈ」から「Ｌ」にレベルシフトする（突き下げる）。これにより、副画素Ｓｐａ５４１の電位をデータ信号線ＳＬからの書き込み電位に対して上に振り、副画素Ｓｐｂ５４１の電位を該書き込み電位に対して下に振ることができ、書き込み電位がプラス極性であれば、副画素Ｓｐａ５４１・Ｓｐｂ５４１をそれぞれ、明副画素、暗副画素とすることができる。
【００５４】
ここで、保持容量配線の電位波形がある程度鈍っても１画素内の各副画素を想定どおりの輝度に制御するため、本液晶表示装置ではＣｓ信号を以下のように設定している。
【００５５】
すなわち、第１領域については、図４に示されるように、Ｃｓ信号Ｓｃｓｉ〔ｉは１〜５４０の整数〕およびＣｓ信号Ｓｃｓ（ｉ＋１）は、走査信号線Ｇｉ（画素Ｐｉ）の走査よりも所定期間（例えば、９Ｈ）以上前にレベルシフトしてその走査まで同レベルを維持し、かつこの走査の後にレベルシフトするように設定している。例えば、Ｃｓ信号Ｓｃｓ１は、走査信号線Ｇ１の走査の１０Ｈ前に「Ｈ」から「Ｌ」にレベルシフトするように、Ｃｓ信号Ｓｃｓ２は、走査信号線Ｇ１の走査の１０Ｈ前に「Ｌ」から「Ｈ」にレベルシフトするように設定している。
【００５６】
もっとも、走査信号線Ｇ１の走査の１０Ｈ前にＣｓ信号ｓｃｓ１やＣｓ信号ｓｃｓ２をレベルシフトさせるためには、走査信号線Ｇ１の走査タイミング、すなわち現フレームＣの第１領域での走査開始タイミング（Ｃｘの走査開始タイミング）を予測しておく必要がある。そこで、図２（ｃ）および図４に示されるように、ＶｔＢｘ＝ＶｔＡｘと仮定して、第１領域での予測的な走査開始タイミング（Ｃｘの予測的な走査開始タイミング）ＴＣｘｕを、前フレームＢの前半ＢｘのゲートスタートパルスＧＳＢｘ（フレームＢの垂直同期信号ＶＳＢと同期）からＶｔＡｘ経過後としている。すなわち、Ｃｓ信号Ｓｃｓ１は、タイミングＴＣｘｕの１０Ｈ前に「Ｈ」から「Ｌ」にレベルシフトするように、Ｃｓ信号Ｓｃｓ２は、タイミングＴＣｘｕの１０Ｈ前に「Ｌ」から「Ｈ」にレベルシフトするように設定している。なお、Ｃｓ信号Ｓｃｓ１以降の奇数番のＣｓ信号は２Ｈずつ遅れて「Ｌ」から「Ｈ」にレベルシフトし、Ｃｓ信号Ｓｃｓ２以降の偶数番のＣｓ信号は２Ｈずつ遅れて「Ｈ」から「Ｌ」にレベルシフトするように設定している。
【００５７】
一方、第２領域については、図４に示されるように、第２領域に与えられるＣｓ信号Ｓｃｓ（ｊ＋１）〔ｊは５４１〜１０８０の整数〕およびＣｓ信号Ｓｃｓ（ｊ＋２）は、走査信号線Ｇｊ（画素Ｐｊ）の走査よりも所定期間（例えば、９Ｈ）以上前にレベルシフトして該走査タイミングまで同レベルを維持し、かつこの走査の後にレベルシフトするように設定している。例えば、Ｃｓ信号Ｓｃｓ５４２は、走査信号線Ｇ５４１の走査の１０Ｈ前に「Ｈ」から「Ｌ」にレベルシフトするように、Ｃｓ信号Ｓｃｓ５４３は、走査信号線Ｇ５４１の走査の１０Ｈ前に「Ｌ」から「Ｈ」にレベルシフトするように設定している。
【００５８】
具体的には、図２（ｂ）および図４に示されるように、走査信号線Ｇ５４１の走査タイミングが、現フレームＣの第１領域での走査開始タイミングからｗ（５４０ライン期間）経過後のタイミングＴＣｙｋに規定されることに着目し、Ｃｓ信号Ｓｃｓ５４２を、ＧＳＣｘ（現フレームＣの第１領域での走査開始タイミング）から５２９（=５４０−１１）ライン期間経過後のタイミングで「Ｈ」から「Ｌ」にレベルシフトするように設定し、Ｃｓ信号Ｓｃｓ５４３を、ＧＳＣｘ（現フレームＣの第１領域での走査開始タイミング）から５２９（=５４０−１１）ライン期間経過後のタイミングで「Ｌ」から「Ｈ」にレベルシフトするように設定している。なお、Ｃｓ信号Ｓｃｓ５４２以降の偶数番のＣｓ信号は２Ｈずつ遅れて「Ｈ」から「Ｌ」にレベルシフトし、Ｃｓ信号Ｓｃｓ５４３以降の奇数番のＣｓ信号は２Ｈずつ遅れて「Ｌ」から「Ｈ」にレベルシフトするように設定している。
【００５９】
以下に、図１（ａ）〜（ｃ）および図５・６を用いて、本液晶表示装置においてフレーム期間（フレームライン数）変動が生じた場合、例えば、図１（ａ）のように、フレームＡの期間ＶｔＡが１１２０、フレームＢの期間ＶｔＢが１１１０であり、ＶｔＡｘ＝ＶｔＡｙ＝５６０、ＶｔＢｘ＝ＶｔＢｙ＝５５５、ＶｔＣｘ＝ＶｔＣｙ＝５５５である場合について説明する。
【００６０】
この場合、第１領域では、図１（ｂ）（ｃ）および図５に示されるように、現フレームＣの第１領域での実走査開始タイミングが、予測的な走査開始タイミングＴＣｘｕよりも５ライン期間だけ早まってしまう。そこで、図５ではＧＳＣｘのタイミングで各Ｃｓ信号（Ｓｃｓ１〜Ｓｃｓ５４１）を設定し直している。具体的には、図６に示すように、Ｃｓ信号Ｓｃｓ１・３・５・７・９・１１については、ＧＳＣｘのタイミングで同時リセットして「Ｌ」とし（該タイミングで「Ｌ」であればそのまま）、それぞれ、ＧＳＣｘの２Ｈ後、ＧＳＣｘの４Ｈ後、ＧＳＣｘの６Ｈ後、ＧＳＣｘの８Ｈ後、ＧＳＣｘの１０Ｈ後、ＧＳＣｘの１２Ｈ後にレベルシフトさせ、Ｃｓ信号Ｓｃｓ１１以降の奇数番のＣｓ信号は２Ｈずつ遅れて「Ｈ」から「Ｌ」にレベルシフトするように設定している。また、Ｃｓ信号Ｓｃｓ２・４・６・８・１０・１２については、ＧＳＣｘのタイミングで同時リセットして「Ｈ」とし（該タイミングで「Ｈ」であればそのまま）、それぞれ、ＧＳＣｘの２Ｈ後、ＧＳＣｘの４Ｈ後、ＧＳＣｘの６Ｈ後、ＧＳＣｘの８Ｈ後、ＧＳＣｘの１０Ｈ後、ＧＳＣｘの１２Ｈ後にレベルシフトさせ、Ｃｓ信号Ｓｃｓ１２以降の偶数番のＣｓ信号は２Ｈずつ遅れて「Ｌ」から「Ｈ」にレベルシフトするように設定している。
【００６１】
こうすれば、Ｃｓ信号Ｓｃｓｉ〔ｉは１〜９の整数〕およびＣｓ信号Ｓｃｓ（ｉ＋１）については、走査信号線Ｇｉ（画素Ｐｉ）の走査よりも所定期間（例えば、９Ｈ）以上前にレベルシフトするように設定できない（第１領域上流側エッジに表示ノイズがでる）おそれはあるものの、Ｃｓ信号Ｓｃｓｉ〔ｉは１０〜５４０の整数〕およびＣｓ信号Ｓｃｓ（ｉ＋１）については、走査信号線Ｇｉ（画素Ｐｉ）の走査よりも所定期間（例えば、９Ｈ）以上前にレベルシフトしてその走査まで同レベルを維持し、かつこの走査の後にレベルシフトするように設定することができる。なお、第１領域の上流側エッジ（画面の上側エッジ）の表示ノイズは表示品位にあまり影響しない。
【００６２】
一方、第２領域では、図１（ｂ）（ｃ）および図５に示されるように、Ｃｓ信号Ｓｃｓ５４２やＳｃｓ５４３を、ＧＳＣｘ（現フレームＣの第１領域での走査開始タイミング）から５３０（=５４０−１０）ライン期間経過後のタイミングでレベルシフトするように設定しているため、図２１（ｃ）の場合とは違ってフレーム期間の変動の影響を受けない。すなわち、Ｃｓ信号Ｓｃｓ５４２やＳｃｓ５４３は、走査信号線Ｇ５４１の走査の１０Ｈ前にレベルシフトする。
【００６３】
このように本液晶表示装置では、Ｃｓ信号Ｓｃｓ（ｊ＋１）〔ｊは５４１〜１０８０の整数〕およびＣｓ信号Ｓｃｓ（ｊ＋２）を、現フレームＣの第１領域での走査開始タイミングから（ｊ−１０）〜（ｊ−１２）ライン期間後にレベルシフトするように設定している。したがって、フレーム期間（フレームライン数）変動があっても、Ｃｓ信号Ｓｃｓ（ｊ＋１）〔ｊは５４１〜１０８０の整数〕およびＣｓ信号Ｓｃｓ（ｊ＋２）は、走査信号線Ｇｊ（画素Ｐｊ）の走査よりも９〜１１Ｈ前にレベルシフトしてその走査まで同レベルを維持し、かつこの走査の後にレベルシフトする。すなわち、保持容量配線Ｃｓ（ｊ＋１）〔ｊは５４１〜１０８０の整数、ｊ=５４１〜５４９〕および保持容量配線Ｃｓ（ｊ＋２）は、走査信号線Ｇｊ（画素Ｐｊ）の走査までに十分に充電される。特に、保持容量配線Ｃｓ（ｊ＋１）〔ｊ=５４１〜５４８〕および保持容量配線Ｃｓ（ｊ＋２）が走査信号線Ｇｊ（画素Ｐｊ）の走査までに十分に充電されるため、第２領域の上流側エッジ（画面中央）の表示ノイズが解消され、表示品位が高められる。
【００６４】
ここでは、図１６（ａ）に示すように、第１表示制御回路２０ｘがフレームＣの垂直同期信号ＶＳＣを受けてスキャン開始通知信号ＳＳＡＰを第２表示制御回路２０ｙに送信し、これ（ＳＳＡＰ）を受けた第２表示制御回路２０ｙは、適宜必要な期間を計算してゲートスタートパルスＧＳＰ（ｙ）（例えば、ＧＳＣｙ）を生成するとともに、第２Ｃｓコントロール回路３０ｙに第２領域用のＣｓ制御信号を出力する。このＣｓ制御信号によって、Ｃｓ信号Ｓｃｓ（ｊ＋１）〔ｊは５４１〜１０８０の整数〕およびＣｓ信号Ｓｃｓ（ｊ＋２）は、現フレームＣの第１領域での走査開始タイミングから（ｊ−１０）〜（ｊ−１２）ライン期間後にレベルシフトして走査信号線Ｇｊ（画素Ｐｊ）の走査まで同レベルを維持し、かつこの走査の後にレベルシフトするように設定される。
【００６５】
なお、第２表示制御回路２０ｙは、図１６（ｂ）に示すように、出力側１Ｈ周期のクロックＣＬＫ（１H）とスキャン開始通知信号ＳＳＡＰとが入力されるカウンタ回路１８を有しており、このカウンタ回路１８の出力ＣｏｕｔからゲートスタートパルスＧＳＰ（ｙ）（例えば、ＧＳＣｙ）や上記Ｃｓ制御信号が生成される構成でもよい。
【００６６】
なお、図１〜５では同一フレームに対する第１領域の最終の走査（走査信号線Ｇ５４０の走査）と第２領域の最初の走査（走査信号線Ｇ５４１の走査）とを１Ｈ離しているがこれに限定されない。例えば、図７・８に示すように、同一フレームに対する第１領域の最終の走査と第２領域の最初の走査とを同期させてもよい。なお、図７は、図２の場合（ライン数変動がない場合）について示しており、図８は、図１の場合（ライン数変動がある場合）について示している。図７・８では、走査信号線Ｇ５４１の走査タイミングが、現フレームＣの第１領域での走査開始タイミングから５３９（Ｗ）ライン期間経過後のタイミングＴＣｙｋに規定されるため、Ｃｓ信号Ｓｃｓ５４２を、ＧＳＣｘ（現フレームＣの第１領域での走査開始タイミング）から５２９（=５３９−１０）ライン期間経過後のタイミングで「Ｈ」から「Ｌ」にレベルシフトするように設定し、Ｃｓ信号Ｓｃｓ５４３を、ＧＳＣｘ（現フレームＣの第１領域での走査開始タイミング）から５２９（=５３９−１０）ライン期間経過後のタイミングで「Ｌ」から「Ｈ」にレベルシフトするように設定している。なお、Ｃｓ信号Ｓｃｓ５４２以降の偶数番のＣｓ信号は２Ｈずつ遅れて「Ｈ」から「Ｌ」にレベルシフトし、Ｃｓ信号Ｓｃｓ５４３以降の奇数番のＣｓ信号は２Ｈずつ遅れて「Ｌ」から「Ｈ」にレベルシフトするように設定している。
【００６７】
また、図９・１０に示すように、同一フレームに対する第１領域の最終の走査と第２領域の最初の走査とを２Ｈ離してもよい。なお、図９は、図２の場合（ライン数変動がない場合）について示しており、図１０は、図１の場合（ライン数変動がある場合）について示している。図９・１０では、走査信号線Ｇ５４１の走査タイミングが、現フレームＣの第１領域での走査開始タイミングから５４１（Ｗ）ライン期間経過後のタイミングＴＣｙｋに規定されるため、Ｃｓ信号Ｓｃｓ５４２を、ＧＳＣｘ（現フレームＣの第１領域での走査開始タイミング）から５３１（=５４１−１０）ライン期間経過後のタイミングで「Ｈ」から「Ｌ」にレベルシフトするように設定し、Ｃｓ信号Ｓｃｓ５４３を、ＧＳＣｘ（現フレームＣの第１領域での走査開始タイミング）から５３１（=５４１−１０）ライン期間経過後のタイミングで「Ｌ」から「Ｈ」にレベルシフトするように設定している。なお、Ｃｓ信号Ｓｃｓ５４２以降の偶数番のＣｓ信号は２Ｈずつ遅れて「Ｈ」から「Ｌ」にレベルシフトし、Ｃｓ信号Ｓｃｓ５４３以降の奇数番のＣｓ信号は２Ｈずつ遅れて「Ｌ」から「Ｈ」にレベルシフトするように設定している。
【００６８】
また、図１３では、第１領域末端の画素Ｐ５４０と第２領域先端の画素Ｐ５４１とが保持容量配線を共有しない構成を示しているが、これに限定されない。例えば、図１７に示すように、走査信号線Ｇ５４０に接続される画素Ｐ５４０と、走査信号線Ｇ５４１に接続される画素Ｐ５４１とで、第１あるいは第２領域に設けられた保持容量配線Ｃｓ５４１を共有するような構成（画素Ｐ５４０の１つの副画素が保持容量配線Ｃｓ５４１と保持容量を形成し、該保持容量配線Ｃｓ５４１が画素Ｐ５４１の１つの副画素と保持容量を形成する構成）でも構わない。
【００６９】
図１７の構成において、走査信号線Ｇ５４０の走査と走査信号線Ｇ５４１の走査とを１Ｈ離す場合、保持容量配線Ｃｓ５４１へのＣｓ信号（Ｓｃｓ５４１）およびそれ以降のＣｓ信号は図１８・図１９のように設定される。なお、図１８は、図２の場合（ライン数変動がない場合）について示しており、図１９は、図１の場合（ライン数変動がある場合）について示している。図１８・１９では、走査信号線Ｇ５４１の走査タイミングが、現フレームＣの第１領域での走査開始タイミングから５４０（Ｗ）ライン期間経過後のタイミングＴＣｙｋに規定されるため、Ｃｓ信号Ｓｃｓ５４１を、ＧＳＣｘ（現フレームＣの第１領域での走査開始タイミング）から５３０（=５４０−１０）ライン期間経過後（走査信号線Ｇ５４０の走査の９Ｈ前）のタイミングで「Ｈ」から「Ｌ」にレベルシフトするように設定し、Ｃｓ信号Ｓｃｓ５４２を、ＧＳＣｘ（現フレームＣの第１領域での走査開始タイミング）から５３０（=５４０−１０）ライン期間経過後のタイミングで「Ｌ」から「Ｈ」にレベルシフトするように設定している。なお、Ｃｓ信号Ｓｃｓ５４１以降の奇数番のＣｓ信号は２Ｈずつ遅れて「Ｈ」から「Ｌ」にレベルシフトし、Ｃｓ信号Ｓｃｓ５４２以降の偶数番のＣｓ信号は２Ｈずつ遅れて「Ｌ」から「Ｈ」にレベルシフトするように設定している。
【００７０】
また、図１７の構成において、走査信号線Ｇ５４０の走査と走査信号線Ｇ５４１の走査とを同期させる場合、保持容量配線Ｃｓ５４１へのＣｓ信号（Ｓｃｓ５４１）およびそれ以降のＣｓ信号は図２０・図２１のように設定される。なお、図２０は、図２の場合（ライン数変動がない場合）について示しており、図２１は、図１の場合（ライン数変動がある場合）について示している。図２０・２１では、走査信号線Ｇ５４１の走査タイミングが、現フレームＣの第１領域での走査開始タイミングから５３９（Ｗ）ライン期間経過後のタイミングＴＣｙｋに規定されるため、Ｃｓ信号Ｓｃｓ５４１を、ＧＳＣｘ（現フレームＣの第１領域での走査開始タイミング）から５３０（=５３９−９）ライン期間経過後（走査信号線Ｇ５４０の走査の９Ｈ前）のタイミングで「Ｈ」から「Ｌ」にレベルシフトするように設定し、Ｃｓ信号Ｓｃｓ５４２を、ＧＳＣｘ（現フレームＣの第１領域での走査開始タイミング）から５２９（=５３９−１０）ライン期間経過後のタイミングで「Ｌ」から「Ｈ」にレベルシフトするように設定し、Ｃｓ信号Ｓｃｓ５４３を、ＧＳＣｘから５３１ライン期間経過後のタイミングで「Ｈ」から「Ｌ」にレベルシフトするように設定している。なお、Ｃｓ信号Ｓｃｓ５４２以降の偶数番のＣｓ信号は２Ｈずつ遅れて「Ｌ」から「Ｈ」にレベルシフトし、Ｃｓ信号Ｓｃｓ５４３以降の奇数番のＣｓ信号は２Ｈずつ遅れて「Ｈ」から「Ｌ」にレベルシフトするように設定している。
【００７１】
また、図１７の構成において、走査信号線Ｇ５４０の走査と走査信号線Ｇ５４１の走査とを２Ｈ離す場合、保持容量配線Ｃｓ５４１へのＣｓ信号（Ｓｃｓ５４１）およびそれ以降のＣｓ信号は図２２・図２３のように設定される。なお、図２２は、図２の場合（ライン数変動がない場合）について示しており、図２３は、図１の場合（ライン数変動がある場合）について示している。図２２・２３では、走査信号線Ｇ５４１の走査タイミングが、現フレームＣの第１領域での走査開始タイミングから５４１（Ｗ）ライン期間経過後のタイミングＴＣｙｋに規定されるため、Ｃｓ信号Ｓｃｓ５４１を、ＧＳＣｘ（現フレームＣの第１領域での走査開始タイミング）から５３０（=５４１−１１）ライン期間経過後（走査信号線Ｇ５４０の走査の９Ｈ前）のタイミングで「Ｈ」から「Ｌ」にレベルシフトするように設定し、Ｃｓ信号Ｓｃｓ５４２を、ＧＳＣｘ（現フレームＣの第１領域での走査開始タイミング）から５３１（=５４１−１０）ライン期間経過後のタイミングで「Ｌ」から「Ｈ」にレベルシフトするように設定し、Ｃｓ信号Ｓｃｓ５４３を、ＧＳＣｘ走査開始から５３３ライン期間経過後のタイミングで「Ｈ」から「Ｌ」にレベルシフトするように設定している。なお、Ｃｓ信号Ｓｃｓ５４２以降の偶数番のＣｓ信号は２Ｈずつ遅れて「Ｌ」から「Ｈ」にレベルシフトし、Ｃｓ信号Ｓｃｓ５４３以降の奇数番のＣｓ信号は２Ｈずつ遅れて「Ｈ」から「Ｌ」にレベルシフトするように設定している。
【００７２】
また、上記の説明では、ゲートスタートパルスＧＳＡｘ、ＧＳＢｘ、ＧＳＣｘ、ＧＳＤｘ、ＧＳＡｙ、ＧＳＢｙ、ＧＳＣｙ、およびＧＳＤｙが、垂直同期信号ＶＳＡ〜ＶＳＤに基づいて生成されているが、これに限定されない。例えば、図１１・１２に示すように、ゲートスタートパルスＧＳＡｘ、ＧＳＢｘ、ＧＳＣｘ、ＧＳＤｘ、ＧＳＡｙ、ＧＳＢｙ、ＧＳＣｙ、およびＧＳＤｙがデータイネーブル信号ＤＥに基づいて生成されていても構わない。
【００７３】
また、上記の説明では、ゲートスタートパルスＧＳＡｘ、ＧＳＢｘ、ＧＳＣｘ、ＧＳＤｘが垂直同期信号ＶＳＹＮＣやデータイネーブル信号ＤＥに同期しているが、これに限定されない。ゲートスタートパルスＧＳＡｘ、ＧＳＢｘ、ＧＳＣｘ、ＧＳＤｘが垂直同期信号ＶＳＹＮＣやデータイネーブル信号ＤＥに基づいて生成されていれば、これらに同期していなくても構わない。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７５】
本発明の表示装置は、特に、液晶表示装置（例えば、液晶テレビ）に好適である。
【図面の簡単な説明】
【００７６】
【図１】（ａ）〜（ｃ）は、本液晶表示装置の駆動方法を示す模式図である。
【図２】（ａ）〜（ｃ）は、本液晶表示装置の駆動方法を示す模式図である。
【図３】本液晶表示装置の駆動方法（フレーム期間の変動なしの場合）を示すタイミングチャートである。
【図４】本液晶表示装置の駆動方法（フレーム期間の変動なしの場合）を示すタイミングチャートである。
【図５】本液晶表示装置の駆動方法（フレーム期間の変動ありの場合）を示すタイミングチャートである。
【図６】本液晶表示装置の駆動方法（フレーム期間の変動ありの場合）を示すタイミングチャートである。
【図７】本液晶表示装置の他の駆動方法（フレーム期間の変動なしの場合）を示すタイミングチャートである。
【図８】本液晶表示装置の他の駆動方法（フレーム期間の変動ありの場合）を示すタイミングチャートである。
【図９】本液晶表示装置のさらに他の駆動方法（フレーム期間の変動なしの場合）を示すタイミングチャートである。
【図１０】本液晶表示装置のさらに他の駆動方法（フレーム期間の変動ありの場合）を示すタイミングチャートである。
【図１１】本液晶表示装置の他の駆動方法を示す模式図である。
【図１２】本液晶表示装置の他の駆動方法を示す模式図である。
【図１３】本液晶表示装置の表示部（第１・第２領域）の構成を示す模式図である。
【図１４】（ａ）（ｂ）は第１領域の構成を示す模式図である。
【図１５】（ａ）（ｂ）は第２領域の構成を示す模式図である。
【図１６】（ａ）は本液晶表示装置の構成を示すブロック図であり、（ｂ）は第２表示制御回路の構成を示すブロック図である。
【図１７】本液晶表示装置の他の表示部（第１・第２領域）の構成を示す模式図である。
【図１８】本液晶表示装置の他の駆動方法（フレーム期間の変動なしの場合）を示すタイミングチャートである。
【図１９】本液晶表示装置の他の駆動方法（フレーム期間の変動ありの場合）を示すタイミングチャートである。
【図２０】本液晶表示装置のさらに他の駆動方法（フレーム期間の変動なしの場合）を示すタイミングチャートである。
【図２１】本液晶表示装置のさらに他の駆動方法（フレーム期間の変動ありの場合）を示すタイミングチャートである。
【図２２】本液晶表示装置のさらに他の駆動方法（フレーム期間の変動なしの場合）を示すタイミングチャートである。
【図２３】本液晶表示装置のさらに他の駆動方法（フレーム期間の変動ありの場合）を示すタイミングチャートである。
【図２４】一般的な液晶表示装置の表示部（第１・第２領域）の構成を示す模式図である。
【図２５】図２４の第１領域の構成を示す模式図である。
【図２６】図２４の第２領域の構成を示す模式図である。
【図２７】（ａ）〜（ｃ）は、従来の液晶表示装置の駆動方法を示す模式図である。
【図２８】（ａ）〜（ｃ）は、従来の液晶表示装置の駆動方法を示す模式図である。
【図２９】従来の液晶表示装置の駆動方法（フレーム期間の変動なしの場合）を示すタイミングチャートである。
【図３０】従来の液晶表示装置の駆動方法（フレーム期間の変動なしの場合）を示すタイミングチャートである。
【図３１】従来の液晶表示装置の駆動方法（フレーム期間の変動ありの場合）を示すタイミングチャートである。
【符号の説明】
【００７７】
３  液晶パネル
１０  液晶表示装置
２０ｘ  第１表示制御回路
２０ｙ  第２表示制御回路
５０  テレビジョン受像機
ＧＤｘ  第１ゲートドライバ
ＧＤｙ  第２ゲートドライバ
ＧＳＰ  ゲートスタートパルス
ＶＳＹＮＣ  垂直同期信号
Ｃｓ１〜１０８２  保持容量配線
Ｓｃｓ１〜１０８２  保持容量配線信号
Ｇ１〜１０８０  走査信号線
Ｐ１〜Ｐ１０８０  画素
Ｓｐａ１〜Ｓｐａ１０８０  副画素
Ｓｐｂ１〜Ｓｐｂ１０８０  副画素
【図１】
2009186616.tif 000003
【図２】
2009186616.tif 000004
【図３】
2009186616.tif 000005
【図４】
2009186616.tif 000006
【図５】
2009186616.tif 000007
【図６】
2009186616.tif 000008
【図７】
2009186616.tif 000009
【図８】
2009186616.tif 000010
【図９】
2009186616.tif 000011
【図１０】
2009186616.tif 000012
【図１１】
2009186616.tif 000013
【図１２】
2009186616.tif 000014
【図１３】
2009186616.tif 000015
【図１４】
2009186616.tif 000016
【図１５】
2009186616.tif 000017
【図１６】
2009186616.tif 000018
【図１７】
2009186616.tif 000019
【図１８】
2009186616.tif 000020
【図１９】
2009186616.tif 000021
【図２０】
2009186616.tif 000022
【図２１】
2009186616.tif 000023
【図２２】
2009186616.tif 000024
【図２３】
2009186616.tif 000025
【図２４】
2009186616.tif 000026
【図２５】
2009186616.tif 000027
【図２６】
2009186616.tif 000028
【図２７】
2009186616.tif 000029
【図２８】
2009186616.tif 000030
【図２９】
2009186616.tif 000031
【図３０】
2009186616.tif 000032
【図３１】
2009186616.tif 000033